(57)【要約】      （修正有）【課題】頚部を損傷することのない、安全なネックストラップの危険防止用連結具を提供する。【解決手段】ストラップの一端に固定する軟質プラスチック製の一方の連結片と、ストラップの他端に固定する軟質プラスチック製の他方の連結片とよりなり、上記両方の連結片の一側にネックストラップの連結孔を形成すると共に、一方の連結片の表面に突部を形成し、他方の連結片の表面には前記突部を嵌合する透孔を穿設し、上記両連結片の重ね合わせ、及び突部の透孔への嵌合により、両端が接続されたネックストラップに過剰の引っ張り力が加わると、突部が透孔から離脱するように構成している。【選択図】図１
0003141890.tif 000002
【実用新案登録請求の範囲】
【請求項１】
ストラップの一端に固定する軟質プラスチック製の一方の連結片と、ストラップの他端に固定する軟質プラスチック製の他方の連結片とよりなり、上記両方の連結片の一側にストラップの連結孔を形成すると共に、一方の連結片の表面に突部を形成し、他方の連結片の表面には前記突部を嵌合する透孔を穿設し、上記両連結片の重ね合わせ、及び突部の透孔への嵌合により、両端が接続されたストラップに過剰の引っ張り力が加わると、突部が透孔から離脱するように構成したことを特徴とするネックストラップの危険防止用連結具。
【請求項２】
ストラップの一端に固定する軟質プラスチック製の一方の連結片と、ストラップの他端に固定する軟質プラスチック製の他方の連結片とよりなり、上記両方の連結片の一側にストラップの連結孔を形成すると共に、一方の連結片の表面に突部を形成し、他方の連結片の表面には前記突部を嵌合する透孔を穿設し、上記両連結片の重ね合わせ、及び突部の透孔への嵌合により、両端が接続されたストラップに過剰の引っ張り力が加わると、突部が透孔から離脱するように構成し、且つ一方叉は他方の連結片に子供用記念メダル等の吊下げ孔を穿設したことを特徴とするネックストラップの危険防止用連結具。
【考案の詳細な説明】
【技術分野】
【０００１】
本考案は、子供用記念メダルとか、名札等を頚部に吊り下げる際に使用するネックストラップの危険防止用連結具に関するものである。
【背景技術】
【０００２】
幼稚園や保育園の運動会等において、子供達に贈与している記念メダルは、ループ状のストラップを頚部にかけて使用するものである。また会社員も名札をストラップを用いて頚部に掛けている。この場合、何かの理由でストラップが強力に引っ張られ、ストラップにより頚部を強く締め付けることがあった。
【０００３】
このような事故を防止するために、ストラップに安全装置を設けたものが開示されている。(例えば、特開２００１−２１８６１３号公報、特開２００３−２８９９３１号公報、実登第３０６８９７４号公報)。
【０００４】
この種のストラップは、紐体の両端に、その長手方向に突部を突設し、この突部を筒状の接続部に挿入してループ状とし、これを接続箇所が頚部の後部に位置するように頚部に掛けて携帯電話等の吊り下げを行うものであるが、この場合、ストラップに過剰の引っ張り力が加わったとき、その引っ張り力が接続部の透孔の方向以外に加えられるときは、突部の接続部から離脱し難く、そのため接続部が頚部に強く喰い込んで不測の事態を生ずる虞がある
【特許文献１】特開２００１−２１８６１３号公報
【特許文献２】実登第３０６８９７４号公報
【考案の開示】
【考案が解決しようとする課題】
【０００５】
本考案は、児童が子供用記念メダル等を胸に吊り下げたり、大人が名札や携帯電話等を胸に吊り下げる際に使用するネックストラップの連結具であって、このストラップに過剰な引っ張り力が加えられることがあっても、頚部を損傷することのない、安全なネックストラップの危険防止用連結具を提供しようとするものである。
【課題を解決するための手段】
【０００６】
上記の目的を達成するために、請求項１の考案は、ストラップの一端に固定する軟質プラスチック製の一方の連結片と、ストラップの他端に固定する軟質プラスチック製の他方の連結片とよりなり、上記両方の連結片の一側にストラップの連結孔を形成すると共に、一方の連結片の表面に突部を形成し、他方の連結片の表面には前記突部を嵌合する透孔を穿設し、上記両連結片の重ね合わせ、及び突部の透孔への嵌合により、両端が接続されたストラップに過剰の引っ張り力が加わると、突部が透孔から離脱するように構成したことを特徴とするネックストラップの危険防止用連結具である。
【０００７】
このネックストラップの危険防止用連結具は、中間部に子供用記念メダル等を取り付けたストラップの両端を連結するものであり、ストラップの一端に取付け孔を用いて一方の連結片を固定し、ストラップの他端に取付け孔を用いて他方の連結片を固定する。その両連結片を重ね合わせて一方の連結片の突部を他方の連結片の透孔に嵌合し、ストラップの両端を連結する。両端を連結されたストラップを頚部に掛け、子供用記念メダル等を胸に吊り下げて使用する。
【０００８】
使用時に、ストラップに過剰の引っ張り力が加わると、軟質の両連結片が引っ張り方向に応じて変形し、しかも透孔が突部により引っ張られて広げられるため、突部は透孔から離脱し、ストラップは頚部から外れる。その結果、頚部への連結片の食込み、ストラップによる頚部の締め付けが防止される。
【０００９】
請求項２の考案は、ストラップの一端に固定する軟質プラスチック製の一方の連結片と、ストラップの他端に固定する軟質プラスチック製の他方の連結片とよりなり、上記両方の連結片の一側にネックストラップの連結孔を形成すると共に、一方の連結片の表面に突部を形成し、他方の連結片の表面には前記突部を嵌合する透孔を穿設し、上記両連結片の重ね合わせ、及び突部の透孔への嵌合により、両端が接続されたネックストラップに過剰の引っ張り力が加わると、突部が透孔から離脱するように構成し、且つ一方叉は他方の連結片に子供用記念メダル等の吊下げ孔を穿設したことを特徴とするネックストラップの危険防止用連結具である。
【００１０】
このネックストラップの危険防止用連結具は、請求項１の場合と同様に、中間部に子供用記念メダル等を取り付けたストラップの一端に、取付け孔を用いて一方の連結片を固定し、ストラップの他端に取付け孔を用いて他方の連結片を固定する。その両連結片を重ね合わせて一方の連結片の突部を他方の連結片の透孔に嵌合し、ストラップの両端を連結する。両端を連結されたストラップを頚部に掛け、子供用記念メダル等を胸に吊り下げて使用する。
【００１１】
使用時に、ストラップに過剰の引っ張り力が加わると、軟質の両連結片が引っ張り方向に応じて変形し、しかも透孔が突部により引っ張られて広げられるため、突部は透孔から離脱し、ストラップは頚部から外れる。その結果、頚部への連結片の食込み、ストラップによる頚部の締め付けが防止される。
【００１２】
又、この危険防止用連結具は、ストラップの一端に取付け孔を用いて一方の連結片を固定し、ストラップの他端に取付け孔を用いて他方の連結片を固定する。その一方叉は他方の連結片に設けた吊下げ孔に子供用記念メダル等を取付けた後、その両連結片を重ね合わせて一方の連結片の突部を嵌合し、ストラップの両端を連結する。両端を連結されたストラップを頚部に掛け、子供用記念メダル等を胸に吊り下げて使用する。
【００１３】
頚部に掛けたストラップに過剰の引っ張り力が加えられると、軟質の両連結片が引っ張り方向に応じて変形し、しかも透孔が突部により引っ張られて広げられるため、突部は透孔から離脱し、ストラップは頚部から外れる。その結果、頚部への連結片の食込み、ストラップによる頚部の締め付けが防止される。
【考案の効果】
【００１４】
本考案の請求項１及び２のネックストラップの危険防止用連結具は、両方の連結片が軟質のため、使用時に頚部の周りに位置しても違和感がなく、また、ストラップに大きな引っ張り力が加わるときは、両連結片が容易に離脱するため、連結片とかネックストラップが頚部の周りに喰い込むことがない。
【００１５】
請求項２のネックストラップの危険防止用連結具は、一方又は他方の連結片に設けた吊下げ孔を利用して、子供用記念メダル等を容易に取付けることができる。
【考案を実施するための最良の形態】
【００１６】
以下、図１乃至図３を参照して、請求項１の考案の実施形態を詳述する。図１は本考案に係る危険防止用連結具を使用したネックストラップの一部切欠き正面図であり、図２は図１におけるＡ−Ａ断面図である。また、図３は過剰の引っ張り力が加わった状態を示す断面図である。
【００１７】
図中の符号１及び２は、軟質ポリエチレン製の一方の連結片と、軟質ポリエチレン製の他方の連結片である。この両方の連結片１，２は軟質で過剰の引っ張り力や折り曲げ力により、しなり、自由に変形する。この両連結片１，２には夫々ストラップ３の取付け孔４，５を形成している。また一方の連結片１の表面には、先端部外周がやや膨出した突部６を形成し、他方の連結片２には表裏に通ずる透孔７を穿設している。
【００１８】
この実施形態におけるネックストラップの危険防止用連結具は、予め子供用記念メダル８を中間部に取付けたストラップ３の一端を、一方の連結片１の取付け孔４に刺し通し、その先端を折り返してストラップ３の内面に縫着する。同様にストラップ３の他端を他方の連結片２の取付け孔４に刺し通し、その先端を折り返してストラップ３の内面に縫着する。ストラップ３に取付けた両連結片１，２を重ね合わせると共に突部５を透孔６に嵌入すると、図１、図２に示すように、ストラップ３はループを形成するから、これを頚部に掛け、子供用記念メダル８を胸に吊り下げて使用する。
【００１９】
このようにして頚部に掛けたストラップ３、或いは子供用記念メダル８が強く引っ張られると、図３に示すように、両連結片１，２は変形し、透孔７が突部６により拡張する。そのため、突部６は透孔７から離脱し、ストラップ３は両端を切り離されて頚部から外れる。
【００２０】
尚、ストラップ３への子供用記念メダル８の取り付けは、従来のように吊り金具を用いる場合もある。また突部６は先端部外周をやや膨出させ、この膨出部分が透孔７から突出することにより、弱い引っ張り力では、突部６が透孔７から簡単に離脱しないようにしているが、透孔７の径を突部６の径よりやや大きくすることにより、膨出部分を省略することもある。
【００２１】
次に、図４，図５を参照して、請求項２の考案の実施形態を詳述する。図４は本考案に係る危険防止用連結具を使用したネックストラップの要部を示す斜視図であり、図５は図４の縦断面図である。
【００２２】
上記請求項２の危険防止用連結具は、請求項１における一方の連結片１、又は他方の連結片２に子供用記念メダル８の吊下げ孔９を設けたものであり、両連結片１，２のその他の構成は請求項１と同一であるから、各部の構成に付いての説明は省略する。
【００２３】
請求項１の場合と同様に、一方の連結片１にストラップ３の一端を取付け、他方の連結片２にストラップ３の他端を取付け、図４に示すように、他方の連結片２に設けた吊下げ孔９に子供用記念メダル８を二重リング１０により取付けた後、両連結片１，２を重ね合わせると共に突部６を透孔７に嵌入すると、ストラップ３はループを形成するから、これを頚部に掛け、子供用記念メダル８を胸に吊り下げて使用する。
【００２４】
このようにして頚部に掛けたストラップ３、或いは子供用記念メダル８が強く引っ張られると、両連結片１，２は図３の場合と同様に変形し、突部６が透孔７から離脱するため、ストラップ３は頚部から外れる。
【図面の簡単な説明】
【００２５】
【図１】請求項１の実施形態を示すネックストラップの一部切欠き正面図である。
【図２】同上要部の横断面図である。
【図３】過剰の引っ張り力が加わった状態を示す断面図である。
【図４】請求項２の実施形態の要部を示す斜視図である。
【図５】同上要部の縦断面図である。
【符号の説明】
【００２６】
１      一方の連結片
２      他方の連結片
３      ストラップ
４      取付け孔
５      取付け孔
６      突  部
７      透  孔
８      子供用記念メダル
９      吊下げ孔
１０    二重リング
【図１】
0003141890.tif 000003
【図２】
0003141890.tif 000004
【図３】
0003141890.tif 000005
【図４】
0003141890.tif 000006
【図５】
0003141890.tif 000007